(57)【要約】  【課題】電動送風機を確実に保護できる電気掃除機を提供する。  【解決手段】電動送風機２が動作中であると制御手段14が判断した場合には、ゼロクロス波形の入力を介して電動送風機２に供給する電力が遮断しているかを制御手段14が判断する。電動送風機２に供給する電力が所定時間以下遮断した際には、電力の回復時に電動送風機２の入力を低下させることで、電力の回復時に電動送風機２に突入電流が流れることを防止して、電動送風機２を確実に保護できる。  【選択図】図１
2006204519.tif 000002
【特許請求の範囲】
【請求項１】
電動送風機を収容した掃除機本体と、
前記電動送風機の駆動を制御する制御手段とを具備し、
前記制御手段は、前記電動送風機に供給される電力が所定時間以下遮断された際に、電力の回復時に前記電動送風機の入力を低下させる
ことを特徴とした電気掃除機。
【請求項２】
制御手段は、電動送風機に供給される電力が所定時間を越えて遮断された際に、電力の回復時に前記電動送風機を停止させる
ことを特徴とした請求項１記載の電気掃除機。
【発明の詳細な説明】
【技術分野】
【０００１】
本発明は、電動送風機の駆動を制御する制御手段を備えた電気掃除機に関する。
【背景技術】
【０００２】
従来、この種の電気掃除機は、電動送風機を収容した掃除機本体を備えている。また、掃除機本体内には、電動送風機の駆動を制御するマイコンなどを有する制御手段が収容されている。さらに、掃除機本体内には、電動送風機および制御手段などに給電する電源コードが引き出し可能に設けられている。また、この電源コードの先端部のプラグを壁面などに設けられた商用交流電源のコンセントに接続すると、マイコンがリセットされて電動送風機が停止状態となり、この状態で作業者が掃除機本体に接続された手元操作部の所定の設定ボタンを操作することで、制御手段により電動送風機が所定の動作モードに制御されて電気掃除機が駆動する（例えば、特許文献１参照。）。
【特許文献１】特許第２９３０１１６号公報（第５頁）
【発明の開示】
【発明が解決しようとする課題】
【０００３】
ところで、掃除作業中には、電源コードが障害物などに引っ掛かりプラグがコンセントから不意に抜けるなど、電圧が電動送風機および制御手段に所定期間供給されなくなってしまうことがある。
【０００４】
しかしながら、この種の電気掃除機では、電源チャージやノイズにとる誤動作防止などのために、マイコンの電源側にコンデンサが設けられており、プラグがコンセントから抜けても、このコンデンサに電荷がチャージされていることから、制御手段のマイコンの電圧が直ちには下がりきらない。この状態で、抜けたプラグを作業者がコンセントに差し込むなどして給電が回復すると、マイコンにリセットがかからず、電動送風機が元の動作状態で再駆動し、この再駆動により電動送風機に突入電流が流れ、電動送風機に必要以上に負荷が加わるおそれがあるという問題点を有している。
【０００５】
本発明は、このような点に鑑みなされたもので、電動送風機を確実に保護できる電気掃除機を提供することを目的とする。
【課題を解決するための手段】
【０００６】
本発明は、電動送風機の駆動を制御する制御手段が、電動送風機に供給される電力が所定時間以上遮断された際に、電力の回復時に電動送風機の入力を低下させるものである。
【発明の効果】
【０００７】
本発明によれば、電動送風機に供給される電力が所定時間以下遮断された際には、電力の回復時に電動送風機の入力を低下させることで、電力の回復時に電動送風機に突入電流が流れることを防止して、電動送風機を確実に保護できる。
【発明を実施するための最良の形態】
【０００８】
以下、本発明の一実施の形態の電気掃除機の構成を図面を参照して説明する。
【０００９】
図２において、１は掃除機本体で、この掃除機本体１は、内部に収容された電動送風機２の駆動にて生じる吸気風とともに吸い込んだ塵埃を、着脱可能な図示しない集塵パックにて集塵する。
【００１０】
また、この掃除機本体１には、外部から空気を吸引する本体吸込口３が開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除する際に作業者が把持する把持部６が基端側に向けて突設されているとともに、掃除機本体１内の電動送風機２などを複数の駆動モードに設定する複数の設定ボタン７が設けられている。
【００１１】
さらに、この手元操作部５の先端には、伸縮可能な細長略円筒状の延長管８が着脱可能に連通接続されている。またさらに、この延長管８の先端には、例えば室内の床面の絨毯などの上に載置させて、この絨毯上の塵埃を吸い込む吸込口体としての床ブラシ９が着脱可能に連通接続されている。
【００１２】
次に、上記一実施の形態の内部構成を図１を参照して説明する。
【００１３】
掃除機本体１内では、商用交流電源ｅに対して、電動送風機２およびトライアック11と、電源部12と、電源検出手段としてのゼロクロス生成回路13との並列回路が電気的に接続され、トライアック11のゲートに電動送風機２の回転数を制御するマイクロコンピュータ（マイコン）からなる制御手段14が電気的に接続されている。
【００１４】
トライアック11は、双方向性の制御素子であり、制御手段14からのパルス信号により電動送風機２を位相制御するものである。
【００１５】
また、電源部12は、商用交流電源ｅからの電力を整流および平滑して制御手段14に供給するもので、この制御手段14との間に電源チャージ用のコンデンサ15が接続されている。このコンデンサ15は、ノイズによる制御手段14の誤動作を防止する機能も有し、例えば大容量の電解コンデンサなどが用いられる。
【００１６】
さらに、ゼロクロス生成回路13は、商用交流電源ｅのゼロクロスを所定時間、例えば１／１００秒毎に検知し、電動送風機２の位相制御時の基準となるゼロクロス波形を生成して制御手段14に入力するものである。
【００１７】
またさらに、制御手段14は、図示しないタイマなどを内部に備え、手元操作部５の設定ボタン７に電気的に接続され、コンデンサ15にチャージされた電圧により駆動する。そして、この制御手段14は、設定ボタン７により設定された動作モードに応じたタイミングでトライアック11のゲートに所定のパルス信号を送信することで、電動送風機２を駆動させる。
【００１８】
次に、上記一実施の形態による掃除動作を説明する。
【００１９】
まず、作業者は、掃除機本体１の本体吸込口３に、ホース体４、延長管８および床ブラシ９を順次連通接続する。
【００２０】
さらに、作業者が、掃除機本体１から図示しない電源コードを引き出して図示しないコンセントに接続した後、把持部６を把持して所定の設定ボタン７を操作すると、この設定ボタン７により設定された動作モードに応じて制御手段14からトライアック11のゲートにパルスが供給され、位相制御により電動送風機２が所定の動作モード、すなわち所定の回転数で駆動される。
【００２１】
次いで、作業者は、把持部６を把持して床面上で床ブラシ９を前後に走行させて床面の塵埃を吸い込む。
【００２２】
床ブラシ９から空気とともに吸い込まれた塵埃は、床ブラシ９、延長管８およびホース体４を順次通過した後、掃除機本体１の本体吸込口３へと導かれて、この掃除機本体１内に収容された集塵パックに捕集される。
【００２３】
塵埃が捕集された空気は、電動送風機２へと吸気されて排気風となり、掃除機本体１の図示しない排気口から外部へと排気される。
【００２４】
ここで、上記一実施の形態による制御を図３に示すフローチャートを参照して説明する。
【００２５】
まず、制御手段14は、電動送風機２が動作中であるかどうかを判断する（ステップ１）。
【００２６】
このステップ１において、電動送風機２が動作中でないと制御手段が判断した場合には、ステップ１に戻り、電動送風機２が動作中であると制御手段14が判断した場合には、ゼロクロス波形が入力されているかどうかを制御手段14が判断する（ステップ２）。なお、このゼロクロス波形の検出は、位相制御にも用いられる。
【００２７】
このステップ２において、ゼロクロス波形が入力されていると制御手段14が判断した場合には、ステップ１に戻り、ゼロクロス波形が入力されていないと制御手段14が判断した場合には、制御手段14がタイマにより時間を計測し、ゼロクロス波形が入力されなくなってから所定時間（Ｔ秒）、例えば１秒、あるいは１０秒経過したかどうかを制御手段14が判断する（ステップ３）。
【００２８】
ステップ３において、ゼロクロス波形が入力されなくなってからＴ秒経過していないと制御手段14が判断した場合には、ゼロクロス波形が入力されているかどうかを制御手段14が判断し（ステップ４）、このステップ４でゼロクロス波形が入力されていないと制御手段14が判断した場合にはステップ３に戻るとともに、このステップ４でゼロクロス波形が入力されたと制御手段14が判断した場合には、電動送風機２の入力を予め設定された所定値まで低減して電動送風機２を再駆動（ソフトスタート）させ（ステップ５）、ステップ１に戻る。
【００２９】
すなわち、ゼロクロス波形が入力されなくなってＴ秒以内にゼロクロス波形が再度入力された場合には、電動送風機２をソフトスタートさせる。
【００３０】
また、閾値となるＴ秒としては、コンデンサ15による時定数に基づくマイコンのリセット時間よりも小さい値を設定する。
【００３１】
一方、ステップ３において、ゼロクロス波形が入力されなくなってからＴ秒以上経過したと制御手段14が判断した場合には、商用交流電源ｅが完全に落ちたものとし、マイコンを強制的にリセットして電動送風機２を強制的に停止状態とする（ステップ６）。
【００３２】
上述したように、上記一実施の形態によれば、電動送風機２に供給される電力が商用交流電源ｅの異常、あるいは電源コードのプラグの抜けなどで所定時間以下遮断された際には、電力の回復時に電動送風機２の入力を低下させてソフトスタートさせることで、電力の回復時に電動送風機２に突入電流が流れることを防止して、電動送風機２を確実に保護できる。
【００３３】
また、電動送風機２に供給される電力が所定時間を越えて遮断された場合には、電動送風機２を強制的に停止させることで、所定時間経過後の電力の回復時には電動送風機２に電流が流れないようにし、電動送風機２をより確実に保護できる。
【００３４】
しかも、制御手段14のタイマを用いて測定することで、時間的なばらつきを生じることなくソフトスタート、あるいは強制停止可能となる。
【００３５】
特に、コンデンサ15として使用する電解コンデンサは、製品ごとの容量のばらつきが比較的大きいため、商用交流電源ｅが所定時間以下の長さで遮断された際にコンデンサ15のチャージ電圧が充分に低下してマイコンにリセットがかかるまでの時間にばらつきが生じるから、このマイコンのリセットまでの時間よりも短い時間でソフトスタート、あるいは強制停止させることで、電動送風機２を確実に保護できる。
【００３６】
すなわち、電源コードのプラグがコンセントから抜けてから例えば１０秒ほど経過した後に電源コードのプラグを再度コンセントに差し込んだ場合などに、従来の電気掃除機では、コンデンサの容量のばらつきなどで電動送風機２が再駆動することがあったが、上記実施の形態では、このような再駆動を防止でき、電動送風機２を保護できるだけでなく、作業者が故障と誤認して修理に出してしまうことなどをも防止できる。
【００３７】
さらに、電気掃除機は、掃除機本体１を床面上で引き回すことで、電源コードが障害物などに引っ掛かって掃除中にコンセントが不意に抜け、商用交流電源ｅからの給電が一時的に停止したりすることがあるため、電力の供給が遮断された際に上記のように電動送風機２を保護することで、電気掃除機の信頼性を向上できる。
【００３８】
なお、上記一実施の形態において、電動送風機２の強制停止の制御をなくした制御とする構成も可能である。
【００３９】
また、電源の遮断を検知する手段としては、ゼロクロス生成回路13以外の構成を用いることも可能である。
【００４０】
さらに、電気掃除機の細部は、上記構成に限定されるものではない。
【図面の簡単な説明】
【００４１】
【図１】本発明の一実施の形態の電気掃除機を示すブロック図である。
【図２】同上電気掃除機を示す斜視図である。
【図３】同上電気掃除機の動作を示すフローチャートである。
【符号の説明】
【００４２】
１    掃除機本体
２    電動送風機
14    制御手段
【図１】
2006204519.tif 000003
【図２】
2006204519.tif 000004
【図３】
2006204519.tif 000005